(57)【要約】【課題】  受信装置における処理量を低減させることが可能なアダプティブアレイアンテナ受信装置およびその制御方法の提供。【解決手段】  ＳＩＲ測定部１６０にて希望波のＳＩＲを測定し、その結果を受信処理部１３１に通知する。受信処理部１３１ではＳＩＲが低いものについては、全アンテナ素子からの入力信号それぞれを同期補足、逆拡散した後に結果をビーム形成部１３２に送信する。一方、ＳＩＲが高い場合は、受信処理部１３１にて１つのアンテナ素子から入力された信号のみを同期補足、逆拡散した後に結果を復調部１３３に直接渡す。【効果】  ＳＩＲが高い場合は、受信処理部１３１での処理量を減らすことが可能となる。【選択図】      図１
2007027908.tif 000002
【特許請求の範囲】
【請求項１】
移動体通信システムにおける基地局のアダプティブアレイアンテナ受信装置であって、
２系統のアダプティブアレイアンテナ受信手段と、各々のアダプティブアレイアンテナ受信手段の出力を合成するダイバーシティ合成手段と、前記ダイバーシティ合成手段の出力に基づき受信品質を測定する受信品質測定手段とを含み、
前記アダプティブアレイアンテナ受信手段は前記受信品質測定手段の測定結果に基づき全アンテナ素子からの入力信号の処理を行うかあるいは１アンテナ素子のみからの入力信号の処理を行うかを選択することを特徴とするアダプティブアレイアンテナ受信装置。
【請求項２】
前記アダプティブアレイアンテナ受信手段は、前記受信品質測定手段において受信品質が閾値より小さいと判定された場合に全アンテナ素子からの入力信号の処理を行い、受信品質が閾値より大きいと判定された場合に１アンテナ素子のみからの入力信号の処理を行うことを特徴とする請求項１記載のアダプティブアレイアンテナ受信装置。
【請求項３】
前記アダプティブアレイアンテナ受信手段は、複数のアンテナ素子からなるアレイアンテナと、前記アレイアンテナを介して受信した信号をディジタルベースバンド信号へ変換する無線部と、各パスの上り信号を復調する受信器と、各パスの復調結果を合成するパス合成部とを含み、
前記受信器が前記入力信号の処理の選択を行うことを特徴とする請求項１または２記載のアダプティブアレイアンテナ受信装置。
【請求項４】
前記受信器は、同期捕捉と逆拡散処理を行う受信処理部と、上り信号に対して複素ウェイトを乗算することで等価的に指向性を形成するビーム形成部と、前記ビーム形成部からの出力信号を復調する復調部と、前記復調部から出力された結果を元に適応アルゴリズムを用いてウェイトを算出する適応制御部とを含み、
前記受信処理部が前記入力信号の処理の選択を行うことを特徴とする請求項３記載のアダプティブアレイアンテナ受信装置。
【請求項５】
前記受信処理部は、前記受信品質測定手段において受信品質が閾値より小さいと判定された場合に、全アンテナ素子の同期補足と逆拡散を実施して全アンテナ素子の逆拡散した結果を前記ビーム形成部に出力し、以下前記ビーム形成部および復調部ならびに適応制御部での処理を行い、
前記受信品質測定手段において受信品質が閾値より大きいと判定された場合に、１アンテナ素子のみの同期補足と逆拡散を行い、逆拡散した結果を前記復調部に出力することを特徴とする請求項４記載のアダプティブアレイアンテナ受信装置。
【請求項６】
前記受信品質測定手段にて測定される受信品質はＳＩＲ(Signal to Interference power Ratio)であることを特徴とする請求項１から５いずれかに記載のアダプティブアレイアンテナ受信装置。
【請求項７】
前記受信品質測定手段にて測定される受信品質はＢＬＥＲ（Block Error Rate）であることを特徴とする請求項１から５いずれかに記載のアダプティブアレイアンテナ受信装置。
【請求項８】
移動体通信システムにおける基地局のアダプティブアレイアンテナ受信装置であって、
１つのアダプティブアレイアンテナ受信手段と、前記アダプティブアレイアンテナ受信手段の出力に基づき受信品質を測定する受信品質測定手段とを含み、
前記アダプティブアレイアンテナ受信手段は前記受信品質測定手段の測定結果に基づき全アンテナ素子からの入力信号の処理を行うかあるいは１アンテナ素子のみからの入力信号の処理を行うかを選択することを特徴とするアダプティブアレイアンテナ受信装置。
【請求項９】
移動体通信システムにおける基地局のアダプティブアレイアンテナ受信装置の制御方法であって、
前記アダプティブアレイアンテナ受信装置は２系統のアダプティブアレイアンテナ受信手段と、各々のアダプティブアレイアンテナ受信手段の出力を合成するダイバーシティ合成手段と、前記ダイバーシティ合成手段の出力に基づき受信品質を測定する受信品質測定手段とを含み、
前記アダプティブアレイアンテナ受信手段は前記受信品質測定手段の測定結果に基づき全アンテナ素子からの入力信号の処理を行うかあるいは１アンテナ素子のみからの入力信号の処理を行うかを選択するステップを含むことを特徴とするアダプティブアレイアンテナ受信装置の制御方法。
【請求項１０】
前記アダプティブアレイアンテナ受信手段は、前記受信品質測定手段において受信品質が閾値より小さいと判定された場合に全アンテナ素子からの入力信号の処理を行い、受信品質が閾値より大きいと判定された場合に１アンテナ素子のみからの入力信号の処理を行うことを特徴とする請求項９記載のアダプティブアレイアンテナ受信装置の制御方法。
【請求項１１】
前記アダプティブアレイアンテナ受信手段は、複数のアンテナ素子からなるアレイアンテナと、前記アレイアンテナを介して受信した信号をディジタルベースバンド信号へ変換する無線部と、各パスの上り信号を復調する受信器と、各パスの復調結果を合成するパス合成部とを含み、
前記受信器が前記入力信号の処理の選択を行うことを特徴とする請求項９または１０記載のアダプティブアレイアンテナ受信装置の制御方法。
【請求項１２】
前記受信器は、同期捕捉と逆拡散処理を行う受信処理部と、上り信号に対して複素ウェイトを乗算することで等価的に指向性を形成するビーム形成部と、前記ビーム形成部からの出力信号を復調する復調部と、前記復調部から出力された結果を元に適応アルゴリズムを用いてウェイトを算出する適応制御部とを含み、
前記受信処理部が前記入力信号の処理の選択を行うことを特徴とする請求項１１記載のアダプティブアレイアンテナ受信装置の制御方法。
【請求項１３】
前記受信処理部は、前記受信品質測定手段において受信品質が閾値より小さいと判定された場合に、全アンテナ素子の同期補足と逆拡散を実施して全アンテナ素子の逆拡散した結果を前記ビーム形成部に出力し、以下前記ビーム形成部および復調部ならびに適応制御部での処理を行い、
前記受信品質測定手段において受信品質が閾値より大きいと判定された場合に、１アンテナ素子のみの同期補足と逆拡散を行い、逆拡散した結果を前記復調部に出力することを特徴とする請求項１２記載のアダプティブアレイアンテナ受信装置の制御方法。
【請求項１４】
前記受信品質測定手段にて測定される受信品質はＳＩＲ(Signal to Interference power Ratio)であることを特徴とする請求項９から１３いずれかに記載のアダプティブアレイアンテナ受信装置の制御方法。
【請求項１５】
前記受信品質測定手段にて測定される受信品質はＢＬＥＲ（Block Error Rate）であることを特徴とする請求項９から１３いずれかに記載のアダプティブアレイアンテナ受信装置の制御方法。
【請求項１６】
移動体通信システムにおける基地局のアダプティブアレイアンテナ受信装置の制御方法であって、
１つのアダプティブアレイアンテナ受信手段と、前記アダプティブアレイアンテナ受信手段の出力に基づき受信品質を測定する受信品質測定手段とを含み、
前記アダプティブアレイアンテナ受信手段は前記受信品質測定手段の測定結果に基づき全アンテナ素子からの入力信号の処理を行うかあるいは１アンテナ素子のみからの入力信号の処理を行うかを選択するステップを含むことを特徴とするアダプティブアレイアンテナ受信装置の制御方法。
【発明の詳細な説明】
【技術分野】
【０００１】
本発明は、アダプティブアレイアンテナ受信装置およびその制御方法に関し、特に直接拡散ＣＤＭＡ（Code Division Multiple Access ）方式を用いた移動体通信システムにおける基地局のアダプティブアレイアンテナ受信装置およびその制御方法に関する。
【背景技術】
【０００２】
ＤＳ(Direct Spread) −ＣＤＭＡ方式を用いた移動体通信システムの受信装置では現在ダイバーシティアンテナが用いられている。このダイバーシティアンテナではアンテナ素子間の相関を小さくするために素子間の間隔が大きく配置される。相関が小さいため、フェージングにより一方のアンテナ素子の受信レベルが低下しても他の素子では高いレベルで受信できる場合が多く、一つのアンテナでフェージング波を受信する場合に比べて品質の劣化確率を減少させることができる。しかしダイバーシティアンテナによる受信方式では干渉波が存在する場合には、その影響を直接受けることになる。
【０００３】
一方、干渉波による品質劣化を低減する技術としてアレイアンテナを用いた受信技術がある。このアレイアンテナは複数のアンテナ素子を狭間隔で配置し、各アンテナ素子で受信した信号に振幅ウェイトおよび位相ウェイトを乗算することで、アンテナの指向性パターン（ビーム）を等価的に形成することができる。
【０００４】
エリア内を複数のビームで分割することによって、希望波とは到来方向の異なる干渉波からの影響を抑圧することを可能とする。しかし、アレイアンテナは素子間隔が狭いため、各アンテナ素子間の相関は極めて大きい。このため、フェージングによる受信レベルの低下はアレイアンテナを構成する素子全てに影響が及び劣化の補償はできない。素子間隔を大きくすると理想的なビームを形成することができないため干渉波抑圧と言う本来の目的を達成できなくなってしまう。
【０００５】
図４は従来のアダプティブアレイアンテナ受信装置の一例の構成例である。同図では１ユーザー分の処理構成を示したが、受信装置は通常この構成を複数有している。
【０００６】
同図を参照すると、従来の受信装置の一例は、複数のアンテナ素子からなるアレイアンテナ１１０と、無線部１２０と、パスの数分の受信器１３０と、パス合成部１４０と、ダイバーシティ合成部１５０と、ＳＩＲ(Signal to Interference power Ratio)判定部１６０とを含んで構成される。また、アレイアンテナ１１０からパス合成部１４０までは２系統設けられている。
【０００７】
また、受信器１３０は受信処理部１３１と、ビーム形成部１３２と、復調部１３３と、適応制御部１３４とを含んでいる。
【０００８】
従来のアダプティブアレイアンテナ受信装置は、複数のアンテナ素子からの全入力信号に対して重み付けを行い、等価的に図５のような指向性（ビーム）を形成することができる。図５は従来のアダプティブアレイアンテナの指向性の一例を示す図である。同図において横軸はビームの方向（度）、縦軸は利得（ｄＢ）を示している。
【０００９】
本受信装置によれば、端末からの信号の到来方向を推定し、この指向性を端末からの信号の到来方向に向けることで、受信品質を向上させることが可能となる。しかしながら、これら重み付けや到来方向推定には基地局での多くの処理量を必要とし、ひいては基地局内で処理するユーザー数を逼迫することになる。
【００１０】
一方、図６は一般的に広く用いられているダイバーシティアンテナを用いた受信装置の一構成例である。図６では図４と同様に１ユーザー分の処理構成を示しており、受信装置は本構成を複数有している。なお、図６において図４と同様の構成部分には同一番号を付す。
【００１１】
図６を参照すると、従来の受信装置の一例は、１つのアンテナ素子からなるアレイアンテナ１１０と、無線部１２０と、パスの数分の受信器１３０と、パス合成部１４０と、ダイバーシティ合成部１５０と、ＳＩＲ(Signal to Interference power Ratio)判定部１６０とを含んで構成される。また、アレイアンテナ１１０からパス合成部１４０までは２系統設けられている。
【００１２】
また、受信器１３０は受信処理部１３１と、復調部１３３とを含んでいる。
【００１３】
本受信装置によれば、ダイバーシティアンテナの基地局はアダプティブアレイアンテナの基地局のように入力信号に対する重み付けや到来方向推定を行わないため、比較的装置規模を小さくすることが可能であるが、アダプティブアレイアンテナの基地局に比べて受信品質や干渉波に対する耐力は劣ることとなる。
【００１４】
これに対し、ダイバーシティアンテナとアレイアンテナのそれぞれの欠点を補い、それぞれの長所を生かした方式として、複数のアンテナ素子で構成されたアレイアンテナを複数有し、アレイアンテナ間は相関が無視しうる距離を有したアンテナ構成が開示されている（たとえば、特許文献１参照）。
【００１５】
これは、複数のアンテナ素子で構成されたアレーアンテナを複数有し、アレーアンテナ間は、相関が無視しうる距離を有するアダプティブアレーアンテナにより構成されるもので、フェージング補償等のダイバーシティ効果を有し、同一方向からの干渉波の除去を行い、メインビーム追尾による利得を高め、また、アレーアンテナには、一または複数の校正信号結合部とマルチビーム合成回路を有し、校正信号における個体差を無くし、信頼性の高い校正を行う、というものである。
【００１６】
また、２アンテナ素子構成によるダイバーシティ制御を前提とし、各アンテナ素子が主アンテナおよびアダプティブ処理用アンテナの上下二段構成にされたアンテナ部と、アンテナ部の一方のアンテナ素子の主アンテナの出力と、他方のアンテナ素子のアダプティブ処理用アンテナの出力を組み合わせるとともに、他方のアンテナ素子の主アンテナの出力と一方のアンテナ素子のアダプティブ処理用アンテナの出力とを組み合わせ、それぞれ干渉信号を除去する振幅および位相を与えるアダプティブ制御部とを含む基地局アンテナ装置が開示されている（たとえば、特許文献２参照）。
【００１７】
また、アレイアンテナを構成する両端の２素子をダイバーシティアンテナとして用い、他の素子をアダプティブアンテナとして用いる基地局用アンテナが開示されている（たとえば、特許文献３参照）。さらに、この文献には伝搬状況に応じてダイバーシティアンテナ用とアダプティブアンテナ用のブランチ数を調整する技術も開示されている。
【００１８】
【特許文献１】特表ＷＯ００／０３４５６号公報（要約、図１）
【特許文献２】特開２００１−２５７６３４号公報（請求項１、段落００１２、００１９、図１、図３）
【特許文献３】特開２００４−３６３８１１号公報（段落００１８、００３６、図１、図６）
【発明の開示】
【発明が解決しようとする課題】
【００１９】
しかし、特許文献１開示のアレイアンテナ受信装置では、複数のアンテナ素子からの入力信号処理や指向性パターンを形成するためのウェイトの乗算、また希望波や干渉波の到来方向の推定など、その必要とされる演算量がダイバーシティアンテナ受信装置と比較して非常に大きく、実用化には困難であった。
【００２０】
また、特許文献２開示の基地局アンテナ装置は、アンテナが２素子構成である点と、一方のアンテナ素子の主アンテナの出力と、他方のアンテナ素子のアダプティブ処理用アンテナの出力を組み合わせる点とにおいて本発明と構成が全く異なり、その構成から得られる効果も本発明と全く異なる。
【００２１】
また、特許文献３開示の基地局用アンテナは、アレイアンテナを構成する複数本の素子のうちの一部（複数本）をダイバーシティアンテナとして使用し、他の素子をアダプティブアンテナとして使用するという点で本発明と構成が全く異なり、その構成から得られる効果も本発明と全く異なる。
【００２２】
そこで本発明の目的は、受信装置における処理量を低減させることが可能なアダプティブアレイアンテナ受信装置およびその制御方法を提供することにある。
【課題を解決するための手段】
【００２３】
前記課題を解決するために、本発明によるアダプティブアレイアンテナ受信装置は、移動体通信システムにおける基地局のアダプティブアレイアンテナ受信装置であって、２系統のアダプティブアレイアンテナ受信手段と、各々のアダプティブアレイアンテナ受信手段の出力を合成するダイバーシティ合成手段と、前記ダイバーシティ合成手段の出力に基づき受信品質を測定する受信品質測定手段とを含み、前記アダプティブアレイアンテナ受信手段は前記受信品質測定手段の測定結果に基づき全アンテナ素子からの入力信号の処理を行うかあるいは１アンテナ素子のみからの入力信号の処理を行うかを選択することを特徴とする。
【００２４】
また、本発明によるアダプティブアレイアンテナ受信装置の制御方法は、移動体通信システムにおける基地局のアダプティブアレイアンテナ受信装置の制御方法であって、前記アダプティブアレイアンテナ受信装置は２系統のアダプティブアレイアンテナ受信手段と、各々のアダプティブアレイアンテナ受信手段の出力を合成するダイバーシティ合成手段と、前記ダイバーシティ合成手段の出力に基づき受信品質を測定する受信品質測定手段とを含み、前記アダプティブアレイアンテナ受信手段は前記受信品質測定手段の測定結果に基づき全アンテナ素子からの入力信号の処理を行うかあるいは１アンテナ素子のみからの入力信号の処理を行うかを選択するステップを含むことを特徴とする。
【発明の効果】
【００２５】
本発明は、全アンテナ素子からの入力信号の処理を行うかあるいは１アンテナ素子のみからの入力信号の処理を行うかを選択する構成を含むため、受信装置における処理量を低減させることが可能となる。
【００２６】
すなわち、本発明によるアダプティブアレイアンテナ受信装置を用いれば、端末からの希望波の伝播環境に応じて、アダプティブアレイアンテナの処理とダイバーシティアンテナの処理を適宜切り替えることで、従来のアダプティブアレイアンテナ受信装置で必要であった処理量を削減し、従来のアダプティブアレイアンテナ受信装置より装置規模を小さくすることが可能となる。一方、装置規模が従来と同じであれば、従来のアダプティブアレイアンテナ受信装置より処理できるユーザー数を増大させることができる。
【発明を実施するための最良の形態】
【００２７】
以下、本発明の実施例について添付図面を参照しながら説明する。図１は本発明に係るアダプティブアレイアンテナ受信装置の一例の構成図である。同図は図４および図６と同様に１ユーザー分の処理構成の一例を示している。実際の受信装置は図１で示した構成を複数有するものとする。
【００２８】
図１を参照すると、本発明に係るアダプティブアレイアンテナ受信装置は、一例として、直接拡散ＣＤＭＡ方式を用いた移動体通信システムにおける基地局のアダプティブアレイアンテナ受信装置であって、複数のアンテナ素子からなるアレイアンテナ１１０と、ＲＦ信号からディジタルベースバンド信号への変換を行う無線部１２０と、各パスの上り信号（端末から基地局への送信信号）を復調する受信器１３０と、各パスの復調結果をＲＡＫＥ合成するパス合成部１４０と、ダイバーシティ合成を行うダイバーシティ合成部１５０と、受信品質を測定するＳＩＲ測定部１６０とを含んでいる。
【００２９】
また、アレイアンテナ１１０からパス合成部１４０までは２系統設けられている。
【００３０】
また、受信器１３０は、同期捕捉と逆拡散処理を行う受信処理部１３１と、上り信号に対して複素ウェイト（位相ウェイト、振幅ウェイト）を乗算することで等価的に指向性（ビーム）を形成するビーム形成部１３２と、上りビーム形成部からの出力信号を復調する復調部１３３と、復調部１３３から出力された結果を元にＭＭＳＥ（Minimum-Mean-Squared-Error）等の適応アルゴリズムを用いてウェイトを算出する適応制御部１３４とを含んでいる。
【００３１】
また、図４に示す従来のアダプティブアレイアンテナ受信装置の構成図と比較して、受信処理部１３１から復調部１３３へ直接結果を通知する信号経路２０１と、ＳＩＲ測定部１６０から受信処理部１３１への信号経路２０２が追加されている。もう一方のダイバーシティブランチについても同様である。
【００３２】
ＳＩＲ測定部１６０にて希望波のＳＩＲ（干渉波に対する希望波の信号強度）を測定し、その結果を受信処理部１３１に通知する。受信処理部１３１ではＳＩＲが低いものについては、全アンテナ素子からの入力信号それぞれを同期補足、逆拡散した後に結果をビーム形成部に送信し、図３の従来のアダプティブアレイアンテナ受信装置と同様の処理を行う。
【００３３】
一方、ＳＩＲが高い場合は、図６に示す従来のダイバーシティアンテナを用いた基地局の受信装置と同様の処理を行うように、受信処理部１３１にて１つのアンテナ素子から入力された信号のみを同期補足、逆拡散した後に結果を復調部１３３に直接渡すものとする。この場合、受信処理部１３１での処理量を減らし、ビーム形成部１３２、適応制御部１３４は使用しないため、それらで必要な処理を削減することが可能となる。
【００３４】
なお、本発明はアンテナ素子数、受信器１３０の数（ＲＡＫＥ合成に用いられるマルチパス数）、受信器内の処理ブロックの分け方に限定されるものではない。
【００３５】
本発明が示すアダプティブアレイアンテナ受信装置を用いれば、端末からの希望波の伝播環境に応じて、アダプティブアレイアンテナの処理とダイバーシティアンテナの処理を適宜切り替えることで、従来のアダプティブアレイアンテナ受信装置で必要であった処理量を削減し、従来のアダプティブアレイアンテナ受信装置より装置規模を小さくすることが可能となる。また、装置規模を同じものとすれば、従来のアダプティブアレイアンテナ受信装置より処理できるユーザー数を増大させることが可能となる。
【００３６】
図１に示すアダプティブアレイアンテナ受信装置の動作について説明する。２つのダイバーシティブランチは同じ動作のため一方のみの説明とする。アレイアンテナ１１０で受信されたＲＦ信号はアンテナ素子ごとの無線部１２０にて、増幅処理および周波数変換処理されたのち、Ｉ／Ｑチャネルのベースバンド信号に直交検波され、図示しないＡ／Ｄ変換機でディジタル信号に変換される。
【００３７】
受信処理部１３１は無線部１２０から出力されたベースバンド信号に対して同期補足と逆拡散を行う。ただし、ＳＩＲ測定部１６０からの結果により、全アンテナ素子の処理を行うか、１アンテナ素子のみの処理を行うかを切り替えることができるものとする。また、結果の出力先についてもＳＩＲ測定部１６０からの結果により、ビーム形成部１３２か復調部１３３かを切り替えることができるものとする。
【００３８】
ビーム形成部１３２は受信処理部１３１から出力された逆拡散後の信号に対して重み付け（ウェイトの乗算）を行い、加算合成することで等価的に指向性（ビーム）を形成する。ビーム形成部１３２は、この加算合成後の信号を復調部１３３に出力し、復調部１３３はビーム形成部１３２から、あるいは受信処理部１３１からの信号を復調したのちにパス合成部１４０へと渡す。
【００３９】
パス合成部１４０はマルチパス数分の復調結果を合成したのちに、結果をダイバーシティ合成部１５０へ出力する。ダイバーシティ合成部１５０は両ダイバーシティブランチの結果を合成する。ＳＩＲ測定部はダイバーシティ合成部１５０からの出力結果から受信品質を算出して結果を受信処理部１３１に通知する。
【００４０】
次に本発明の動作について図１と図２のフローチャートを用いて説明する。図２は本発明に係るアダプティブアレイアンテナ受信装置の制御方法の一例を示すフローチャートである。このフローチャートは主に受信器１３０における動作を示す。
【００４１】
今、ＳＩＲ測定部１６０から受信品質が受信処理部１３１に通知されたとする。受信処理部１３１では通知された受信品質と閾値Ｘを比較する（図２のステップ２１０）。受信品質が閾値Ｘより小さい場合は（ステップ２１０にて“Ｙｅｓ”の場合）、受信処理部１３１にて全アンテナ素子の同期補足と逆拡散を実施し（ステップ２２１）、受信処理部１３１から全アンテナ素子の逆拡散した結果をビーム形成部１３２に出力する（ステップ２２２）。
【００４２】
適応制御部１３４は前回の復調結果を用いて適応制御を行いビームウェイトを算出する（ステップ２２３）。ビーム形成部１３２にて適応制御部１３４から通知されたビームウェイトを乗算し、加算合成することで等価的にビームを形成する（ステップ２２４）。ビーム形成部１３２の出力結果を復調部１３３に出力する（ステップ２２５）。
【００４３】
一方、ステップ２１０にて受信品質が閾値Ｘより大きいと判定された場合は（ステップ２１０にて“Ｎｏ”の場合）、受信処理部１３１にて１アンテナ素子のみの同期補足と逆拡散を行う（ステップ２３１）。受信処理部１３１は逆拡散した結果を復調部１３３に出力する（ステップ２３２）。
【００４４】
図２の２２０と示された枠内の処理（ステップ２２１〜２２５）を行った場合、本装置はアダプティブアレイアンテナ受信装置として働き、２３０と示された枠内の処理（ステップ２３１および２３２）を行った場合は、本装置はダイバーシティアンテナ受信装置として働くこととなる。どちらの場合も、以降の処理は同じで、復調部１３３からパス合成部１４０に結果を出力する（ステップ２４０）。
【００４５】
図７は従来の受信装置のアンテナのビーム方向の一例を示す模式図である。従来の受信装置を用いたアダプティブアレイアンテナ基地局では、受信環境によらず同図のように全てのユーザーに対してビームを形成する。例えば、従来のアダプティブアレイアンテナ基地局３０１では、処理量の問題から１基地局で最大３つの端末３１０〜３１２しか処理できず、それ以上の端末（たとえば、端末３１３）は基地局３０１との通信ができない。
【００４６】
図３は本発明の受信装置のアンテナのビーム方向の一例を示す模式図である。このような場合に本発明の受信装置を用いれば、受信環境の良好な端末（たとえば、端末３１３）に対しては同図のようにビームを形成しないため、その処理量を削減することができ、装置規模を同じく考えれば処理できる（通信できる）端末数を増加させることが可能となる。
【産業上の利用可能性】
【００４７】
本実施例ではＳＩＲ測定部１６０にて算出した希望波のＳＩＲをもとにアダプティブアレイアンテナでの処理とダイバーシティアンテナでの処理を切り替えるものとしたが、受信品質を表すＢＬＥＲ（Block Error Rate）など他のパラメータを適用することも可能である。
【００４８】
また、本実施例では複数のアレイアンテナを持ちダイバーシティ効果も有したアダプティブアレイアンテナ基地局での受信装置構成例について述べたが、１組のアレイアンテナを持つのみでダイバーシティ効果を有しないアダプティブアレイアンテナ基地局にも適用可能である。
【図面の簡単な説明】
【００４９】
【図１】本発明に係るアダプティブアレイアンテナ受信装置の一例の構成図である。
【図２】本発明に係るアダプティブアレイアンテナ受信装置の制御方法の一例を示すフローチャートである。
【図３】本発明の受信装置のアンテナのビーム方向の一例を示す模式図である。
【図４】従来のアダプティブアレイアンテナ受信装置の一例の構成例である。
【図５】従来のアダプティブアレイアンテナの指向性の一例を示す図である。
【図６】一般的に広く用いられているダイバーシティアンテナを用いた受信装置の一構成例である。
【図７】従来の受信装置のアンテナのビーム方向の一例を示す模式図である。
【符号の説明】
【００５０】
１１０  アレイアンテナ
１２０  無線部
１３０  受信器
１３１  受信処理部
１３２  ビーム形成部
１３３  復調部
１３４  適応制御部
１４０  パス合成部
１５０  ダイバーシティ合成部
１６０  ＳＩＲ測定部
【図１】
2007027908.tif 000003
【図２】
2007027908.tif 000004
【図３】
2007027908.tif 000005
【図４】
2007027908.tif 000006
【図５】
2007027908.tif 000007
【図６】
2007027908.tif 000008
【図７】
2007027908.tif 000009